(57)【要約】  衣類乾燥機の制御方法および衣類乾燥機において、前記衣類乾燥機は衣類乾燥ドラム（６）、ヒートポンプシステムおよび電気加熱システムを含む。ヒートポンプシステムは圧縮機（１）、凝縮器（２）、蒸発器（３）および絞り装置（４）を含み、電気加熱システムは電気加熱管（５）である。さらに水冷凝縮器（７）および／または空冷凝縮器（１１）および／または補助送風機（１０）を含む。ヒートポンプシステムおよび電気加熱システムが連係して動作するように制御することにより、衣類乾燥機は少なくとも高速モードを含む。高速モードは、圧縮機（１）が起動して動作が安定した後、電気加熱管（５）が作動し、衣類乾燥ドラム（６）に進入しようとする気体を、ヒートポンプシステムの凝縮器（２）で加熱してから、電気加熱管（５）で加熱した後、衣類乾燥ドラム（６）に進入するように制御する。ヒートポンプシステムが最大負荷に近づいたとき、補助凝縮の方式を採用して、ヒートポンプシステムの負荷を低下させる。電気加熱システムおよびヒートポンプシステムが同時に動作するのを保証し、衣類乾燥速度を高める。【選択図】図１
2018501004.tif 000002
【特許請求の範囲】
【請求項１】
衣類乾燥ドラム、ヒートポンプシステムおよび電気加熱システムを含み、ヒートポンプシステムが圧縮機、凝縮器、蒸発器および絞り装置を含み、電気加熱システムが電気加熱管である衣類乾燥機の制御方法であって、ヒートポンプシステムおよび電気加熱システムが連係して動作するように制御することにより、衣類乾燥機は少なくとも高速モードを含み、高速モードは
圧縮機が起動して動作が安定した後、電気加熱管が作動し、
衣類乾燥ドラムに進入しようとする気体を、ヒートポンプシステムの凝縮器で加熱してから、電気加熱管で加熱した後、衣類乾燥ドラムに進入するように制御し、
ヒートポンプシステムが最大負荷に近づいたとき、加熱管を停止する前に、補助凝縮の方式を採用して、ヒートポンプシステムの負荷を低下させることを特徴とする方法。
【請求項２】
前記補助凝縮の方式は、衣類乾燥ドラムから排出された気体を、水冷凝縮器で予備凝縮するように制御し、ヒートポンプシステムに進入する気体の温度を低下させ、ヒートポンプシステムの負荷を低下させることを特徴とする、請求項１に記載の衣類乾燥機の制御方法。
【請求項３】
前記補助凝縮の方式は、補助送風機でヒートポンプシステムの凝縮器の放熱を補助し、凝縮器の温度を低下させ、ヒートポンプシステムの負荷を低下させることを特徴とする、請求項１に記載の衣類乾燥機の制御方法。
【請求項４】
前記補助凝縮の方式は、衣類乾燥ドラムから排出された気体を、空冷凝縮器で予備凝縮するように制御し、ヒートポンプシステムに進入する気体の温度を低下させ、ヒートポンプシステムの負荷を低下させ、好ましくは空冷凝縮器に補助送風機を設置することを特徴とする、請求項１に記載の衣類乾燥機の制御方法。
【請求項５】
前記ヒートポンプシステムの凝縮器の温度が最大値Ｔ１に達すると、ヒートポンプシステムは最大負荷に達し、前記凝縮器の温度がＴ１−ΔＴまで上昇すると、ヒートポンプシステムは最大負荷に近くなることを特徴とする、請求項１〜４のいずれか１項に記載の衣類乾燥機の制御方法。
【請求項６】
凝縮器の温度を測定し、凝縮器の温度がＴ１−ΔＴを超えたとき、水冷凝縮器を起動して、衣類乾燥ドラムから排出された気体を予備凝縮するか、または補助送風機を起動して、ヒートポンプシステムの凝縮器の放熱を補助するか、または空冷凝縮器を起動して、衣類乾燥ドラムから排出された気体を予備凝縮することを特徴とする、請求項５に記載の衣類乾燥機の制御方法。
【請求項７】
衣類乾燥ドラムに進入する気体の温度が設定温度Ｔ２まで上昇したとき、電気加熱管が停止し、衣類乾燥ドラムに進入する気体の温度が設定温度Ｔ３まで低下したとき、電気加熱管が再度作動し、Ｔ２＞Ｔ３であることを特徴とする、請求項１〜６のいずれか１項に記載の衣類乾燥機の制御方法。
【請求項８】
ヒートポンプシステムおよび電気加熱システムが連係して動作するように制御することにより、衣類乾燥機はさらに
電気加熱管が停止し、衣類乾燥ドラムに進入しようとする気体を、ヒートポンプシステムの凝縮器のみで加熱する省エネルギーモードと；
電気加熱管が作動し、衣類乾燥ドラムに進入しようとする気体を、ヒートポンプシステムの凝縮器で加熱してから、電気加熱管で加熱し、ヒートポンプシステムが最大負荷または所定温度に達すると、電気加熱管が停止し、衣類乾燥ドラムに進入する気体を、ヒートポンプシステムの凝縮器のみで加熱する普通モードと；を含むことを特徴とする、請求項１〜７のいずれか１項に記載の衣類乾燥機の制御方法。
【請求項９】
前記省エネルギーモードおよび普通モードにおいて、凝縮器の温度を測定し、凝縮器の温度が最大値Ｔ１に達したとき、補助凝縮の方式を採用して、ヒートポンプシステムの負荷を低下させることを特徴とする、請求項８に記載の衣類乾燥機の制御方法。
【請求項１０】
前記高速モードにおける圧縮機の最高動作周波数が、普通モードにおける圧縮機の最高動作周波数以上であり、高速モードにおける圧縮機の最低動作周波数が、普通モードにおける圧縮機の最低動作周波数以上であり；普通モードにおける圧縮機の最高動作周波数が、省エネルギーモードにおける圧縮機の最高動作周波数以上であり、普通モードにおける圧縮機の最低動作周波数が、省エネルギーモードにおける圧縮機の最低動作周波数以上であることを特徴とする、請求項８に記載の衣類乾燥機の制御方法。
【請求項１１】
請求項１〜１０のいずれか１項に記載の制御方法の衣類乾燥機であって、衣類乾燥ドラム、ヒートポンプシステムおよび電気加熱システムを含み、ヒートポンプシステムが圧縮機、凝縮器、蒸発器および絞り装置を含み、電気加熱システムが電気加熱管である衣類乾燥機であって、前記衣類乾燥機がさらに水冷凝縮器および／または空冷凝縮器および／または補助送風機を含み、前記水冷凝縮器および／または空冷凝縮器が、衣類乾燥ドラムの排気口と蒸発器の吸気口との間に設置され、前記補助送風機が凝縮器に設置されることを特徴とする衣類乾燥機。
【発明の詳細な説明】
【技術分野】
【０００１】
本発明は衣類乾燥機の分野に関し、特に、衣類乾燥機の制御方法および衣類乾燥機である。
【背景技術】
【０００２】
既存のヒートポンプ式衣類乾燥装置には、以下のような気体循環路が設けられる。すなわちヒートポンプ循環システムの凝縮器により過加熱された加熱気体は、衣類を入れた乾燥室内に送られ、衣類から水分を奪った湿った気体は、蒸発器部分に送られて除湿され、除湿後の気体は再び凝縮器により加熱され、乾燥室中に送られる。
【０００３】
衣類乾燥速度を高めるため、あるヒートポンプ式衣類乾燥機は、補助加熱を行う電気加熱管を設置している。電気加熱管およびヒートポンプシステムを組み合わせることにより、衣類乾燥機の昇温時間を短縮し、乾燥時間を確実に短縮する。しかし圧縮機が乾燥を開始したばかりから、ヒートポンプシステムが最大負荷（例えば圧縮機の凝縮温度が７０℃に達するか、または排気温度が１０５℃に達する）に達するまでの時間のみに限定される。これは、ヒートポンプシステムが最高負荷に達すると、ヒートポンプシステムの負荷を低下させるため、電気加熱管は加熱を停止しなければならないためである。電気加熱管が加熱を停止すると、乾燥機の乾燥速度は電気加熱管を使用しない方式と同じである。インバータ圧縮機を採用した場合、圧縮機の周波数調節を利用し、圧縮機の動作周波数を低下させて、ヒートポンプシステムの負荷を低下させることができるが、圧縮機の動作周波数の低下は、水蒸気の凝縮速度を低下させ、乾燥速度にも影響を及ぼす。つまり、冷却システムを改良していないとき、電気加熱管を単純に追加しても、乾燥時間はあまり短縮されない。
【０００４】
このことを考慮して、本発明を示す。
【発明の概要】
【発明が解決しようとする課題】
【０００５】
本発明の目的は既存技術の不足を克服することであり、高速モードのとき、衣類乾燥速度を高め、衣類乾燥時間を短縮する、衣類乾燥機の制御方法および衣類乾燥機を提供する。
【課題を解決するための手段】
【０００６】
該目的を実現するため、本発明は次の技術案を採用する。衣類乾燥機の制御方法において、前記衣類乾燥機は、衣類乾燥ドラム、ヒートポンプシステムおよび電気加熱システムを含む。ヒートポンプシステムは圧縮機、凝縮器、蒸発器および絞り装置を含み、電気加熱システムは電気加熱管である。ヒートポンプシステムおよび電気加熱システムが連係して動作するように制御することにより、衣類乾燥機は少なくとも高速モードを含む。高速モードは、圧縮機が起動して動作が安定した後、電気加熱管が作動し、衣類乾燥ドラムに進入しようとする気体を、ヒートポンプシステムの凝縮器で加熱してから、電気加熱管で加熱した後、衣類乾燥ドラムに進入するように制御される。ヒートポンプシステムが最大負荷に近づいたとき、加熱管を停止する前に、補助凝縮の方式を採用して、ヒートポンプシステムの負荷を低下させる。
【０００７】
前記補助凝縮の方式は、衣類乾燥ドラムから排出された気体を、水冷凝縮器で予備凝縮するように制御する。ヒートポンプシステムに進入する気体の温度を低下させ、ヒートポンプシステムの負荷を低下させる。
【０００８】
前記補助凝縮の方式は、補助送風機でヒートポンプシステムの凝縮器の放熱を補助し、凝縮器の温度を低下させ、ヒートポンプシステムの負荷を低下させる。
【０００９】
前記補助凝縮の方式は、衣類乾燥ドラムから排出された気体を、空冷凝縮器で予備凝縮するように制御する。ヒートポンプシステムに進入する気体の温度を低下させ、ヒートポンプシステムの負荷を低下させる。好ましくは、空冷凝縮器に補助送風機を設置する。
【００１０】
前記ヒートポンプシステムの凝縮器の温度が最大値Ｔ１に達すると、ヒートポンプシステムは最大負荷に達する。前記凝縮器の温度がＴ１−ΔＴまで上昇すると、ヒートポンプシステムは最大負荷に近くなる。
【００１１】
凝縮器の温度を測定し、凝縮器の温度がＴ１−ΔＴを超えたとき、水冷凝縮器を起動して、衣類乾燥ドラムから排出された気体を予備凝縮するか、または補助送風機を起動して、ヒートポンプシステムの凝縮器の放熱を補助するか、または空冷凝縮器を起動して、衣類乾燥ドラムから排出された気体を予備凝縮する。
【００１２】
衣類乾燥ドラムに進入する気体の温度が設定温度Ｔ２まで上昇したとき、電気加熱管は停止し、衣類乾燥ドラムに進入する気体の温度が設定温度Ｔ３まで低下したとき、電気加熱管は再度作動する。Ｔ２＞Ｔ３である。
【００１３】
ヒートポンプシステムおよび電気加熱システムが連係して動作するように制御することにより、衣類乾燥機はさらに以下を含む。
省エネルギーモード：電気加熱管が停止し、衣類乾燥ドラムに進入しようとする気体を、ヒートポンプシステムの凝縮器のみで加熱する。
普通モード：電気加熱管が作動し、衣類乾燥ドラムに進入しようとする気体を、ヒートポンプシステムの凝縮器で加熱してから、電気加熱管で加熱する。ヒートポンプシステムが最大負荷または所定温度に達すると、電気加熱管は停止し、衣類乾燥ドラムに進入する気体を、ヒートポンプシステムの凝縮器のみで加熱する。
【００１４】
前記省エネルギーモードおよび普通モードにおいて、凝縮器の温度を測定し、凝縮器の温度が最大値Ｔ１に達したとき、補助凝縮の方式を採用して、ヒートポンプシステムの負荷を低下させる。
【００１５】
前記高速モードにおける圧縮機の最高動作周波数は、普通モードにおける圧縮機の最高動作周波数以上であり、高速モードにおける圧縮機の最低動作周波数は、普通モードにおける圧縮機の最低動作周波数以上である。普通モードにおける圧縮機の最高動作周波数は、省エネルギーモードにおける圧縮機の最高動作周波数以上であり、普通モードにおける圧縮機の最低動作周波数は、省エネルギーモードにおける圧縮機の最低動作周波数以上である。
【００１６】
上記制御方法の衣類乾燥機において、前記衣類乾燥機は衣類乾燥ドラム、ヒートポンプシステムおよび電気加熱システムを含む。ヒートポンプシステムは圧縮機、凝縮器、蒸発器および絞り装置を含み、電気加熱システムは電気加熱管である。前記衣類乾燥機は、さらに水冷凝縮器および／または空冷凝縮器および／または補助送風機を含む。前記水冷凝縮器および／または空冷凝縮器は、衣類乾燥ドラムの排気口と蒸発器の吸気口との間に設置され、前記補助送風機は凝縮器に設置される。
【発明の効果】
【００１７】
本発明の前記技術案を採用すると、以下の有益な効果がもたらされる。
本発明において、電気加熱システムおよびヒートポンプシステムは同時に加熱する。ヒートポンプシステムが最大負荷に近づいたとき、補助凝縮の方式を採用して、ヒートポンプシステムの負荷を低下させる。圧縮機の周波数を変更しないことを基にして、ヒートポンプシステムの負荷を低下させ、電気加熱管が動作を停止するのを防止し、衣類乾燥速度を速め、衣類乾燥時間を短縮する。数種のモードを設定しており、ユーザは需要に基づいて、衣類乾燥モードを選択することができる。急ぐときは高速モードを選択して、迅速に衣類乾燥することができ、平常時は省エネルギーモードを選択して、エネルギー消費を低下させることができ、普通モードを選択して、衣類乾燥速度およびエネルギー消費を合理的に利用することができ、エネルギーの最大限の利用を達成する。
【００１８】
以下、図を組み合わせて、本発明の具体的な実施方式について、さらに詳細に記載する。
【図面の簡単な説明】
【００１９】
【図１】図１は、本発明の衣類乾燥機の構造概要図である。
【図２】図２は、本発明の別の実施方式の構造概要図である。
【図３】図３は、本発明の別の実施方式の構造概要図である。
【発明を実施するための形態】
【００２０】
実施例１
図１に示すように、本発明に記載する衣類乾燥機において、前記衣類乾燥機は、衣類乾燥ドラム６、ヒートポンプシステムおよび電気加熱システムを含む。ヒートポンプシステムは圧縮機１、凝縮器２、蒸発器３および絞り装置４を含み、電気加熱システムは電気加熱管５である。前記衣類乾燥機はさらに水冷凝縮器７を含み、前記水冷凝縮器７は衣類乾燥ドラム６の排気口と蒸発器の吸気口との間に設置される。前記ヒートポンプシステムの凝縮器２および電気加熱管５が同時に加熱すると、ドラムに進入する気体の温度が上昇する。前記水冷凝縮器７は凝縮速度を上昇させ、乾燥速度を上昇させることができる。水冷凝縮器７に水弁８が設置され、水弁８の開放および閉鎖により、水冷凝縮器７の作動および停止が制御される。
【００２１】
通常、電気加熱管５を追加して補助加熱を行うと、衣類乾燥速度が速くなり、衣類乾燥時間が短縮されると考えられる。実際に、電気加熱管５を追加すると、一定の衣類乾燥時間は確実に短縮される。しかし、圧縮機が乾燥を開始したばかりから、ヒートポンプシステムが最大負荷に達するまでの時間のみに限定され、ヒートポンプシステムが最高負荷に達したとき、ヒートポンプシステムの負荷を低下させるため、電気加熱管は加熱を停止しなければならない。電気加熱管が加熱を停止すると、乾燥機の乾燥速度は電気加熱管を使用しない方式と同じである。インバータ圧縮機を採用した場合、圧縮機の周波数調節を利用し、圧縮機の動作周波数を低下させて、ヒートポンプシステムの負荷を低下させることができるが、圧縮機の動作周波数の低下は、水蒸気の凝縮速度を低下させ、乾燥速度にも影響を及ぼす。つまり、冷却システムを改良していないとき、電気加熱管５を単純に追加しても、乾燥時間はあまり短縮されない。したがって、考えられているような、電気加熱管５を追加すると、衣類乾燥速度を大幅に高めることができるというわけではない。本発明において、衣類乾燥ドラムの排気口部分に水冷凝縮器７が設置される。水冷凝縮の効率は高く、衣類乾燥ドラム中から排出された気体の温度を迅速に低下させることができ、蒸発器３、凝縮器２に進入する気体の温度を低下させる。圧縮機の周波数を変更しないことを基にして、ヒートポンプシステムの負荷を低下させ、電気加熱管５が動作を停止するのを防止し、衣類乾燥速度を速め、衣類乾燥時間を短縮する。
【００２２】
または図２に示すように、本発明に記載する衣類乾燥機において、前記衣類乾燥機は、衣類乾燥ドラム６、ヒートポンプシステムおよび電気加熱システムを含む。ヒートポンプシステムは圧縮機１、凝縮器２、蒸発器３および絞り装置４を含み、電気加熱システムは電気加熱管５である。前記衣類乾燥機はさらに補助送風機１０を含み、前記補助送風機１０は凝縮器２に設置される。凝縮器２の放熱を速めることができ、凝縮器の温度を低下させる。圧縮機の周波数を変更しないことを基にして、ヒートポンプシステムの負荷を低下させ、電気加熱管が動作を停止するのを防止し、衣類乾燥速度を速め、衣類乾燥時間を短縮する。
【００２３】
実施例２
本発明に記載する衣類乾燥機の制御方法において、前記衣類乾燥機は、衣類乾燥ドラム６、ヒートポンプシステムおよび電気加熱システムを含む。ヒートポンプシステムは圧縮機１、凝縮器２、蒸発器３および絞り装置４を含み、電気加熱システムは電気加熱管５である。凝縮器２および電気加熱管５が連係して加熱することにより、衣類乾燥機は以下のモードを有することができる。
高速モード：高速モードの衣類乾燥時、電気加熱管５が作動する。衣類乾燥ドラム６に進入する気体を、ヒートポンプシステムの凝縮器２で加熱してから、電気加熱管５で加熱した後、衣類乾燥ドラム６に進入するように制御される。ヒートポンプシステムが最大負荷に近づいたとき、加熱管を停止する前に、補助凝縮の方式を採用して、ヒートポンプシステムの負荷を低下させる。前記補助凝縮の方式は、衣類乾燥ドラム６から排出される気体を、水冷凝縮器７で予備凝縮し、ヒートポンプシステムに進入する気体の温度を低下させ、ヒートポンプシステムの負荷を低下させる。
【００２４】
高速モードでは、衣類乾燥ドラム６に進入する気体を、凝縮器２および電気加熱管５で同時に加熱する。ドラムに進入する気体の温度は高く、衣類乾燥速度は速い。同時に、衣類乾燥ドラム６から排出される気体を、水冷凝縮器７で予備凝縮し、ヒートポンプシステムに進入する気体の温度を低下させ、ヒートポンプシステムが最大負荷に達するのを防止することができる。さらに、電気加熱管５が常に作動して気体を加熱することを保証することができ、衣類乾燥ドラムに進入する気体は持続的に高温を維持し、衣類乾燥速度を速める。ヒートポンプシステムが最大負荷に達した後、ヒートポンプシステムの負荷を低下させるため、電気加熱管を停止するか、または圧縮機の周波数を低下させて、動作効率が低下し、衣類乾燥速度を高めることができなくなるのを防止した。
【００２５】
省エネルギーモード：電気加熱管５が停止し、衣類乾燥ドラム６に進入する気体を、ヒートポンプシステムの凝縮器２のみで加熱する。ヒートポンプシステムのみで加熱し、電気加熱管５の加熱時に、電気エネルギーを消費するのを防止することができる。
【００２６】
普通モード：電気加熱管５が作動し、衣類乾燥ドラム６に進入する気体を、ヒートポンプシステムの凝縮器２で加熱してから、電気加熱管で加熱する。ヒートポンプシステムが最大負荷に達すると、電気加熱管が停止し、衣類乾燥ドラムに進入する気体を、ヒートポンプシステムの凝縮器のみで加熱する。乾燥初期、電気加熱管５および凝縮器２が同時に加熱し、昇温速度が高まり、ドラムに進入する気体の温度が高まり、衣類乾燥速度が高まる。ヒートポンプシステムが最大負荷または所定温度に達したとき、電気加熱管が停止して、ヒートポンプシステムのみで加熱し、電気加熱管５の加熱時に、電気エネルギーを消費するのを防止することができる。該モードは、衣類乾燥速度およびエネルギー消費を折衷することができる。
【００２７】
数種の衣類乾燥モードを設定しており、ユーザは需要に基づいて、衣類乾燥モードを選択することができる。急ぐときは高速モードを選択して、迅速に衣類乾燥することができ、平常時は省エネルギーモードを選択して、エネルギー消費を低下させることができ、普通モードを選択して、衣類乾燥速度およびエネルギー消費を合理的に利用することができ、エネルギーの最大限の利用を達成する。
【００２８】
このうちヒートポンプシステムの最大負荷は、ヒートポンプシステムの凝縮器の温度が最大値Ｔ１に達しており、前記ヒートポンプシステムが最大負荷に近づいたとき、凝縮器の温度はＴ１−ΔＴまで上昇する。凝縮器の温度を測定し、凝縮器の温度がＴ１−ΔＴを超えたとき、水冷凝縮器を起動して、衣類乾燥ドラムから排出される気体を予備凝縮する。
【００２９】
電気加熱管５を起動すると同時に、水冷凝縮器７を起動して、衣類乾燥ドラム６から排出される気体を予備凝縮することもでき、最初から、衣類乾燥ドラムから排出される気体を予備凝縮して、凝縮速度を高めることができる。電気加熱管５および凝縮器２が同時に加熱するとき、ヒートポンプシステムが最大負荷に達するのを防止することができ、このように電気加熱管５は動作を停止せず、衣類乾燥ドラムに進入する気体の温度は高く、乾燥効率が高い。またはヒートポンプシステムが最大負荷に達する時間を長くし、電気加熱管５が動作を停止する頻度を低下させる。衣類乾燥段階で衣類乾燥ドラムに進入する気体の平均温度は高く、乾燥効率が高い。
【００３０】
衣類乾燥ドラムに進入する気体の温度が設定温度Ｔ２まで上昇したとき、電気加熱管５は停止し、衣類乾燥ドラムに進入する気体の温度が設定温度Ｔ３まで低下したとき、電気加熱管５は再度作動する。Ｔ２＞Ｔ３である。衣類乾燥ドラムに進入する気体が過度に高い場合、衣類を損傷させるため、衣類乾燥ドラム６に進入する気体の温度が、設定値Ｔ２を超えないように制御する必要があり、通常Ｔ２は１１０℃〜１３０℃である。電気加熱管５が停止すると、循環した気体が衣類乾燥ドラムに進入するときの温度は低下する。設定温度Ｔ３まで低下したとき、ドラムに進入する気体の温度を高めるため、再度電気加熱管を起動する必要があり、通常Ｔ３は９０℃〜１１０℃である。ドラムに進入する温度が１００℃前後のとき、気体が衣類を乾燥する速度が最高である。
【００３１】
前記省エネルギーモードおよび普通モードでも、補助凝縮の方式を採用して、ヒートポンプシステムの負荷を低下させることができる。前記補助凝縮の方式は、衣類乾燥ドラム６から排出される気体を、水冷凝縮器７で予備凝縮するように制御し、ヒートポンプシステムに進入する気体の温度を低下させ、ヒートポンプシステムの負荷を低下させる。凝縮器２の温度を測定し、凝縮器２の温度が最大値Ｔ１に達したとき、水冷凝縮器７が衣類乾燥ドラム中から排出された気体を予備凝縮することにより、凝縮器２に進入する気体の温度を低下させる。
【００３２】
具体的に、高速モードでは、最初の乾燥段階で電気加熱管５は動作する。電気加熱管５はヒートポンプシステムが起動し、動作が安定した後に起動する。開始段階のできる限り長い時間内で、電気加熱管５およびヒートポンプシステムの凝縮器２を同時に利用して、衣類乾燥ドラム６に進入しようとする気体を加熱する。例えば凝縮器２が３０℃に達したとき、気体は凝縮器２を経過した後も、３０℃近くまで加熱され、さらに電気加熱管により７０℃の温度まで加熱される。例えば凝縮器が７０℃まで達したとき、気体は凝縮器２を経過した後も、７０℃近くまで加熱され、さらに電気加熱管５により１１０℃の温度まで加熱される。このように衣類乾燥ドラム６内に進入する気体の温度は、ヒートポンプシステムのみを利用して加熱する温度よりはるかに高い。温度が高くなると、衣類に対する乾燥効果は良好である。凝縮器２が最高負荷７０℃に達したととき、電気加熱管５は停止しない。凝縮器２の温度が最大負荷を超えた場合、このとき水冷凝縮器７の水弁８が開き、水道水または水容器内の水を利用して、蒸発器３、凝縮器２に進入する前の気体を予備凝縮する。蒸発器３に進入する気体の温度を低下させ、ヒートポンプシステムの負荷を低下させる。同時に予備凝縮の作用が生じ、湿熱気体内の水蒸気の凝縮速度を速める。水弁８は開き続ける。
【００３３】
凝縮器２の温度が７０℃もしくは設定温度を超えたときか、またはドラムに進入する温度が１２０℃の設定温度を超えたとき、電気加熱管を停止することにより、ヒートポンプシステムの負荷を調整する。
【００３４】
凝縮速度をさらに高めるため、水冷凝縮器７の水弁８を電気加熱管５の起動時に作動させることができる。ヒートポンプシステムに進入する気体の温度を低下させることにより、気体を予備凝縮して凝集速度を高め、ヒートポンプシステムが最高負荷に達する時間を長くする。
【００３５】
省エネルギーモードでは、電気加熱管５は作動せず、圧縮機の凝縮器２のみを利用して気体を加熱し、気体の最高温度は７０℃前後である。衣類乾燥ドラム６内の温度の上昇に伴って、ヒートポンプシステムの凝縮温度が７０℃に達したとき、負荷を低下させる必要があり、そうでなければ圧縮機は許容範囲を超える。このとき水冷凝縮器７の水弁８が開き、水道水または水容器内の水を利用して、蒸発器３、凝縮器２に進入する前の気体を予備凝縮する。蒸発器３に進入する気体の温度を低下させ、ヒートポンプシステムの負荷を低下させる。圧縮機の凝縮温度が６７℃または設定温度まで低下したとき、水弁は閉じる。これにより、ヒートポンプシステムの負荷を調整する。
【００３６】
普通モードでは、最初の乾燥段階で電気加熱管５は動作する。電気加熱管５はヒートポンプシステムが起動し、動作が安定した後、起動する。開始段階で電気加熱管５および圧縮機の凝縮器２を同時に利用して気体を加熱する。例えば凝縮器が３０℃に達したとき、気体は凝縮器２を経過した後も、３０℃近くまで加熱され、さらに電気加熱管５により７０℃の温度まで加熱される。このように衣類乾燥ドラム６内に進入する気体の温度の昇温速度は、ヒートポンプシステムの凝縮器２のみを利用して加熱する速度よりはるかに速い。凝縮器２が最高負荷７０℃に達したとき、電気加熱管５は停止し、ヒートポンプシステムの蒸発器３および凝縮器２のみを利用して凝縮および加熱を行う。その後、凝縮器２の温度が圧縮機の許容範囲をさらに超える場合、このとき水冷凝縮器７の水弁８が開き、水道水または水容器内の水を利用して、蒸発器３、凝縮器２に進入する前の気体を予備凝縮する。蒸発器３に進入する気体の温度を低下させ、ヒートポンプシステムの負荷を低下させる。圧縮機の凝縮温度が６７℃または設定温度まで低下したとき、水弁８は閉じる。これにより、ヒートポンプシステムの負荷を調整する。
【００３７】
前記高速モードにおける圧縮機の最高動作周波数は、普通モードにおける圧縮機の最高動作周波数以上であり、高速モードにおける圧縮機の最低動作周波数は、普通モードにおける圧縮機の最低動作周波数以上である。普通モードにおける圧縮機の最高動作周波数は、省エネルギーモードにおける圧縮機の最高動作周波数以上であり、普通モードにおける圧縮機の最低動作周波数は、省エネルギーモードにおける圧縮機の最低動作周波数以上である。圧縮機１の周波数が高いと、動作効率は高く、衣類乾燥速度も高くなる。
【００３８】
実施例３
図２に示すように、本実施例の衣類乾燥機は補助送風機１０を含む。補助凝縮の方式は、該補助送風機１０でヒートポンプシステムの凝縮器２の放熱を補助し、凝縮器温度を低下させ、ヒートポンプシステムの負荷を低下させる。その他の方法は、いずれも実施例２と同じである。
【００３９】
実施例４
図３に示すように、本実施例の衣類乾燥機は空冷凝縮器１１を含む。補助凝縮の方式は、該空冷凝縮器１１が衣類乾燥ドラムから排出される気体を予備凝縮し、ヒートポンプシステムに進入する気体の温度を低下させ、ヒートポンプシステムの負荷を低下させる。その他の方法は、いずれも実施例２と同じである。
【００４０】
空冷凝縮器１１に、空気の流動を促進し、放熱を補助する補助送風機をさらに設置することができる。
【００４１】
以上の記載は本発明の好ましい実施方式に過ぎない。当業者は本発明の原理を逸脱しない前提で、数種の変形および改良を行うこともできるが、これも本発明の保護範囲と見なすべきであると指摘しなければならない。
【符号の説明】
【００４２】
１  圧縮機
２  凝縮器
３  蒸発器
４  絞り装置
５  電気加熱管
６  衣類乾燥ドラム
７  水冷凝縮器
８  水弁
９  ファン
１０  補助送風機
１１  空冷凝縮器
【図１】
2018501004.tif 000003
【図２】
2018501004.tif 000004
【図３】
2018501004.tif 000005
【国際調査報告】
2018501004.tif 000006
2018501004.tif 000007
2018501004.tif 000008
2018501004.tif 000009